(57)【要約】【課題】高精度に波長板が貼り付けられた半導体レーザを提供する。【解決手段】  レーザチップと、前記レーザチップを載置するためのステム部材と、前記レーザチップを覆うように前記ステム部材に固定されているキャップ部材とを有し、前記キャップ部材の上面に、前記キャップ部材に貼り付けられる波長板に対する位置合わせのためのマークが形成されている半導体レーザとする。【選択図】  図１
2009064521.tif 000002
【特許請求の範囲】
【請求項１】
光ピックアップの筐体のレーザ取り付け部に装着されて使用される半導体レーザであって、
レーザチップと、
前記レーザチップを載置するためのステム部材と、
前記レーザチップを覆うように前記ステム部材に固定されているキャップ部材とを有し、
前記キャップ部材の上面に、前記キャップ部材に貼り付けられる波長板に対する位置合わせのためのマークが形成されている半導体レーザ。
【請求項２】
請求項１記載の半導体レーザであって、
前記キャップ部の上面に、前記マークとして、２本の直線状の凹部が平行に形成されており、
前記キャップ部に貼り付けられる波長板の反射防止コート又は塗装の直線部分が、前記凹部の幅の間に入るように構成されていることを特徴とする半導体レーザ。
【請求項３】
請求項１記載の半導体レーザであって、
前記キャップ部の上面に、前記マークとして、２本の直線状の凹部が平行に形成されており、
前記キャップ部に貼り付けられる波長板の形状が、円の両側を中心に対し略対称に切断したＩ形状であり、
前記Ｉ形状の波長板の直線状切断部が、前記凹部の幅の間に入るように構成されていることを特徴とする半導体レーザ。
【請求項４】
請求項１記載の半導体レーザであって、
前記キャップ部の上面に、前記マークとして、１本の直線状の凹部が形成されており、
前記キャップに貼り付けられる波長板の形状が円の一部を切断したＤ形状であり、
前記Ｄ形状の波長板の直線状切断部が前記凹部の幅の間に入るように構成されていることを特徴とする半導体レーザ。
【請求項５】
半導体レーザを保持するためのレーザホルダであって、
レーザ光の出射方向側のレーザホルダ上面部には、当該レーザホルダ上面部に貼り付けられる波長板に対する位置合わせのためのマークが形成されているレーザホルダ。
【請求項６】
請求項５記載のレーザホルダであって、
前記レーザホルダ上面部に、前記マークとして、２本の直線状の凹部が平行に形成されており、
前記波長板の反射防止コート又は塗装の直線部分が、前記凹部の幅の間に入るように構成されていることを特徴とするレーザホルダ。
【請求項７】
請求項５記載のレーザホルダであって、
前記レーザホルダ上面部に、前記マークとして、２本の直線状の凹部が平行に形成されており、
前記波長板の形状が、円の両側を中心に対し略対称に切断したＩ形状であり、
前記Ｉ形状の波長板の直線状切断部が、前記凹部の幅の間に入るように構成されていることを特徴とするレーザホルダ。
【請求項８】
請求項５記載のレーザホルダであって、
前記レーザホルダ上面部に、前記マークとして、１本の直線状の凹部が形成されており、
前記波長板の形状が円の一部を切断したＤ形状であり、
前記Ｄ形状の波長板の直線状切断部が前記凹部の幅の間に入るように構成されていることを特徴とするレーザホルダ。
【発明の詳細な説明】
【技術分野】
【０００１】
本発明は、コンパクトディスクドライブ、ＤＶＤドライブ、Ｂｌｕ−ｒａｙディスクドライブ、光磁気ディスクドライブなどに搭載されている光ピックアップに用いられる半導体レーザとレーザホルダに関する。
【背景技術】
【０００２】
従来の光ピックアップにおいて、波長板は半導体レーザと対物レンズとの間に組み込まれる光学部品である。波長板は、光ピックアップ筐体に組み込まれ、接着固定される構造が一般的である。
【０００３】
しかし、その構造の課題として、波長板の取扱中の汚れによる不良の発生、波長板の配置場所によってはレーザ光が往復することによる透過率の低下、半導体レーザから離れた位置に組み込むことによる波長板寸法の大型化によるコスト高などがあった。
【０００４】
これらの解決方法として、例えば、特許文献１には、半導体レーザのキャップ部に円形状の波長板を貼り付ける構成が開示されている。
【０００５】
また、特許文献２には、波長板の貼り付け方法として、打ち抜きプレス装置を用いる例が開示されている。
【０００６】
【特許文献１】特開２０００−０９１０６７号公報
【特許文献２】特開２００１−２９２０３５号公報
【発明の開示】
【発明が解決しようとする課題】
【０００７】
しかし、半導体レーザへの波長板の貼り付けには次のような課題がある。
【０００８】
波長板が回転することを検出するために、波長板のレーザ光が透過しない外周部に反射防止コートである蒸着コーティング有無の境界線を設けて、波長板の回転有無を外観検査していた。かかる外観検査では、半導体レーザのキャップ部に対して、蒸着コーティング有無境界線がどれだけ回転したかを外観検査する指標が無かった。
【０００９】
本発明の目的は、高精度に波長板が貼り付けられた半導体レーザを提供することにある。
【課題を解決するための手段】
【００１０】
上記目的は、例えば、特許請求の範囲に記載の発明により達成できる。
【００１１】
本願において開示される発明のうち代表的なものの概要を簡単に説明すれば次のとおりである。
【００１２】
本発明に従う半導体レーザは、光ピックアップの筐体のレーザ取り付け部に装着されて使用される半導体レーザであって、レーザチップと、前記レーザチップを載置するためのステム部材と、前記レーザチップを覆うように前記ステム部材に固定されているキャップ部材とを有する。そして、キャップ部材の上面に、キャップ部材に貼り付けられる波長板に対する位置合わせのためのマークが形成されている。
【発明の効果】
【００１３】
本発明によれば、半導体レーザに対する波長板の回転を高い精度で確認することができる。
【発明を実施するための最良の形態】
【００１４】
以下、図面を参照して本発明の実施形態をより詳細に説明する。
【００１５】
図１に、本発明の一実施形態である半導体レーザ１の概略斜視図を示す。半導体レーザ１は、レーザチップ２と、このレーザチップ２を載置するためのステム部材３と、レーザチップ２を覆うようにステム部材３に固定されているキャップ部材４とを有する。キャップ部材４の上面部４ａには、波長板に対する位置合わせのためのマークとして、２本の直線状の凹部７ａ及び７ｂが略平行に形成されている。
【００１６】
キャップ部材４の上面部４ａの上には波長板が設けられる。図４に、波長板５がキャップ部材４の上面部４ａに配置されている様子を示した。
【００１７】
図４に示すように、本実施形態の波長板５は、キャップ部材と略同じ寸法の円形状であり、中央の帯状の領域以外の領域に反射防止コート又は塗装６が形成されている。反射防止コート又は塗装６が形成されている領域と、形成されていない領域の境界（以下、直線部という）は直線状に形成されている。反射防止コート又は塗装６が形成されていない領域をレーザ光が通過するよう構成されている。波長板５は、例えば、反射防止コート又は塗装が形成された大判シート状の波長板を打ち抜きプレスにより円形に打ち抜くことにより作製することができる。
【００１８】
図５には、キャップ部上面部４ａと波長板５の寸法を示した。図５に示すように、例えば、キャップ部４の直径がφ３．６ｍｍであり、波長板の直径もφ３．５ｍｍであり、波長板の反射防止コート又は塗装６の直線部６ａと６ｂの間隔が約２ｍｍの場合で、例えば、半導体レーザに対して波長板が±５度以内の回転精度で貼り付けられているかを確認するには、キャップ部上面部４ａの２本の直線状の凹部７ａと７ｂの幅は、０．２６ｍｍになる。波長板５をキャップ部上面部４ａの上に設けたときに、波長板５の反射防止コート又は塗装６の直線部６ａ、６ｂが、キャップ部上面部４ａに形成された２本の凹部の幅から部分的にはみ出すか、交差している場合は、貼り付け不良として確認することができる。
【００１９】
上記凹部の幅は、一例であり、回転精度、キャップ部材の寸法、波長板の寸法などに応じて調整することが可能である。
【００２０】
ここでは、波長板が円形の例を示したが、次に、波長板の他の構成例について説明する。
【００２１】
図６には、波長板の形状が円の左右を切断したＩ形状の波長板８の例を示した。かかるＩ形状の波長板８は、円の左右両側の部分を、中心に対し略対称に切断した形状である。このＩ形状波長板８の互いに平行な２つの直線部分８ａ、８ｂが、キャップ部４の凹部７ａ及び７ｂの幅の間に入るように配置される。かかる波長板８としても、精度良く回転確認を行うことができる。
【００２２】
また、図７には、別の例として、半導体レーザ９のキャップ部上面部４ａに１本の直線状の凹部７ｃが形成され、波長板として、円の一部を切断したＤ形状の波長板１０を使用した例を示した。かかるＤ形状波長板１０は、その直線部１０ａが、キャップ部上面部４ａの凹部７ｃに沿って、その凹部７ｃの幅の間に入るように配置される。かかる構成としても、半導体レーザに対する波長版の回転を精度良く確認することができる。
【００２３】
上記例では、半導体レーザのキャップ部上面に、波長板に対する位置合わせのための凹部を形成したが、これに限定されず、半導体レーザを保持するためのレーザホルダに凹部を形成してもよい。
【００２４】
図８〜１４に、レーザホルダに、波長板に対する位置合わせのための凹部を形成した例を示した。
【００２５】
図８〜図１０に示した例では、レーザホルダ１１の上面部１１ａに、２本の直線状の凹部１２ａと１２ｂが平行に形成されている。図１１に示すように、図８〜図１０に示したレーザホルダ１１の上面部１１ａには、例えば、図１〜図４で示した波長板５を貼り付けることができる。このとき、波長板５の反射防止コート又は塗装６の直線部６ａ、６ｂが、レーザホルダ１１の凹部１２ａ、１２ｂに沿って、しかも、凹部１２ａ、１２ｂの幅の間に位置するように配置される。
【００２６】
図１２に示すように、例えば、レーザホルダ１１の上面部１１ａの直径がφ３．６ｍｍであり、波長板５の直径もφ３．５ｍｍであり、波長板５の反射防止コート又は塗装６の直線部６ａと６ｂの間隔が約２ｍｍの場合で、例えば、半導体レーザに対して波長板が±５度以内の回転精度で貼り付けられているかを確認するには、レーザホルダ１１の上面部１１ａの２本の直線状の凹部１２ａと１２ｂの幅は、０．２６ｍｍになる。波長板５を、レーザホルダ１１の上面部１１ａの上に設けたときに、波長板５の反射防止コート又は塗装６の直線部６ａと６ｂが、上面部１１ａに形成された２本の凹部１２ａ、１２ｂの幅からはみ出す、すなわち、交差するような場合は、貼り付け不良として確認することができる。
【００２７】
図１３に示した例は、波長板として、上記例で示した、円の左右両側の部分を、中心に対し略対称に切断したＩ形状の波長板８を用いた例であり、かかるＩ形状波長板８の直線部分８ａと８ｂが、それぞれ、レーザホルダ１１の凹部１２ａ、１２ｂの幅の間に位置するように設けられている。かかる構成としても、半導体レーザに対する波長版の回転を精度良く確認することができる。
【００２８】
また、図１４に示した例は、半導体レーザを備えたレーザホルダ１３の上面部１３ａに１本の直線状の凹部１２ｃが形成されており、上面部１３ａに貼り付けられる波長板の形状が円の一部を切断したＤ形状波長板１０の例である。Ｄ形状波長板１０の直線部分１０ａが、レーザホルダ１３の上面部１３ａに形成された凹部１２ｃに沿って、その凹部１２の幅の間に入るように配置されている。かかる構成としても、半導体レーザに対する波長版の回転を精度良く確認することができる。
【００２９】
ここで、図１５に、従来の半導体レーザ１４の構成を模式的に示した。半導体レーザ１４のキャップ部１５には、上述したような波長板に対する位置合わせのための凹部（マーク）は形成されていない。
【００３０】
次に、図１６に、光ピックアップ装置の構成例を模式的に示す。光ピックアップ装置は、光ピックアップ筐体１６、半導体レーザ１、対物レンズ１７、反射ミラー１８、コリメートレンズ１９、ビームスプリッタ２０、光検出器２１を有する。半導体レーザ１は、上述した本発明に従う半導体レーザで構成される。
【００３１】
以上、本発明に従う半導体レーザ及びレーザホルダ並びにそれらを搭載した光ピックアップの実施形態について詳細に説明したが、本発明は上記実施形態に限定されず、本発明の趣旨を逸脱しない範囲において、種々の変更や改良を行うことができる。
【図面の簡単な説明】
【００３２】
【図１】本発明の実施形態に係るキャップ部上面部に２本の直線平行な凹部が形成された半導体レーザの斜視図である。
【図２】本発明の実施形態に係るキャップ部上面部に２本の直線平行な凹部が形成された半導体レーザの正面図である。
【図３】本発明の実施形態に係るキャップ部上面部に２本の直線平行な凹部が形成された半導体レーザの側面図である。
【図４】図１の半導体レーザに貼られる波長板の反射防止コート又は塗装の直線部が凹部の幅の間に入るように構成された半導体レーザの斜視図である。
【図５】図１の半導体レーザのキャップ部に貼られる波長板の反射防止コート又は塗装の直線部が凹部の幅の間に入るように構成された半導体レーザの正面図である。
【図６】図１の半導体レーザのキャップ部に貼られる波長板の形状が円の左右を切断したＩ形状であり、そのＩ形状波長板が凹部の幅の間に入るように構成された半導体レーザの斜視図である。
【図７】本発明の実施形態に係るキャップ部上面部に１本の直線平行な凹部が形成されており、キャップ部に貼られる波長板の形状が円の一部を切断したＤ形状であり、そのＤ形状の波長板の直線部が凹部の幅の間に入るように構成された半導体レーザの斜視図である。
【図８】本発明の実施形態に係る半導体レーザを備えたレーザホルダの上面部に２本の直線平行な凹部が形成されたレーザホルダの斜視図である。
【図９】本発明の実施形態に係る半導体レーザを備えたレーザホルダの上面部に２本の直線平行な凹部が形成されたレーザホルダの正面図である。
【図１０】本発明の実施形態に係る半導体レーザを備えたレーザホルダの上面部に２本の直線平行な凹部が形成されたレーザホルダの側面図である。
【図１１】本発明の実施形態に係る半導体レーザを備えたレーザホルダの上面部に２本の直線平行な凹部が形成されており、レーザホルダの上面部に貼られる波長板の反射防止コート又は塗装の直線部が凹部の幅の間に入るように構成されたレーザホルダの斜視図である。
【図１２】本発明の実施形態に係る半導体レーザを備えたレーザホルダの上面部に２本の直線平行な凹部が形成されており、レーザホルダの上面部に貼られる波長板の反射防止コート又は塗装の直線部が凹部の幅の間に入るように構成されたレーザホルダの正面図である。
【図１３】本発明の実施形態に係る半導体レーザを備えたレーザホルダの上面部に２本の直線平行な凹部が形成されており、レーザホルダの上面部に貼られる波長板の形状が円の左右を切断したＩ形状であり、そのＩ形状の波長板の直線部が凹部の幅の間に入るように構成されたレーザホルダの斜視図である。
【図１４】本発明の実施形態に係る半導体レーザを備えたレーザホルダの上面部に１本の直線状の凹部が形成されており、レーザホルダの上面部に貼られる波長板の形状が円の一部を切断したＤ形状であり、そのＤ形状の波長板の直線部分が凹部の幅の間に入るように構成されたレーザホルダの斜視図である。
【図１５】一般的な半導体レーザの斜視図である。
【図１６】光ピックアップの概略構成図である。
【符号の説明】
【００３３】
１：キャップ部に２本の直線平行な凹部が形成されている半導体レーザ、２：レーザチップ、３：ステム、４：キャップ、４ａ：キャップ部上面部、５：波長板、６：反射防止コート又は塗装、７ａ：キャップ部上面部の２本の直線平行な凹部の一方、７ｂ：キャップ部上面部の２本の直線平行な凹部の一方、７ｃ：キャップ部上面部の１本の直線の凹部、８：Ｉ形状波長板、９：キャップ部に１本の直線な凹部が形成されている半導体レーザ、１０：Ｄ形状波長板、１１：半導体レーザを備えたレーザホルダの上面部に２本の直線平行な凹部が形成されているレーザホルダ、１１ａ：２本の直線平行な凹部が形成されているレーザホルダの上面部、１２ａ：レーザホルダの上面部の２本の直線平行な凹部の一方、１２ｃ：レーザホルダの上面部の１本の直線な凹部、１３：半導体レーザを備えたレーザホルダの上面部に１本の直線平行な凹部が形成されているレーザホルダ、１３ａ：１本の直線平行な凹部が形成されているレーザホルダの上面部、１４：一般的な半導体レーザ、１５：一般的な半導体レーザのキャップ部、１６：光ピックアップ筐体、１７：対物レンズ、１８：反射ミラー、１９：コリメートレンズ、２０：ビームスプリッタ、２１：光検出器、２２：光ディスク
【図１】
2009064521.tif 000003
【図２】
2009064521.tif 000004
【図３】
2009064521.tif 000005
【図４】
2009064521.tif 000006
【図５】
2009064521.tif 000007
【図６】
2009064521.tif 000008
【図７】
2009064521.tif 000009
【図８】
2009064521.tif 000010
【図９】
2009064521.tif 000011
【図１０】
2009064521.tif 000012
【図１１】
2009064521.tif 000013
【図１２】
2009064521.tif 000014
【図１３】
2009064521.tif 000015
【図１４】
2009064521.tif 000016
【図１５】
2009064521.tif 000017
【図１６】
2009064521.tif 000018